(57)【要約】【課題】特定の番組の放送終了後に、ユーザが特定の番組を見逃したことを発見し易くする。【解決手段】見逃し視聴が可能な番組に関する第１の番組情報を放送波を介して受信する放送受信手段と、第１の番組情報に基づいて、対応する放送済みの番組の放送日時に対応付けられた、見逃し視聴が可能な番組に関する第１の番組表を生成する番組表生成手段と、外部の表示装置に第１の番組表を表示させる表示手段とを備える。【選択図】      図１
2016100837.tif 000002
【特許請求の範囲】
【請求項１】
見逃し視聴が可能な番組に関する第１の番組情報を放送波を介して受信する放送受信手段と、
前記第１の番組情報に基づいて、対応する放送済みの番組の放送日時に対応付けられた、見逃し視聴が可能な番組に関する第１の番組表を生成する番組表生成手段と、
外部の表示装置に前記第１の番組表を表示させる表示手段と
を備えることを特徴とする番組表表示装置。
【請求項２】
利用者からの入力を受理する入力手段を更に備え、
前記放送受信手段は、放送番組に関する第２の番組情報を放送波を介して更に受信し、
前記番組表生成手段は、前記第２の番組情報に基づいて、前記放送番組に関する第２の番組表を更に生成し、
前記表示手段は、利用者により現在以降の放送日時が指定された場合には、前記表示装置に前記第２の番組表を表示させ、利用者により過去の放送日時が指定された場合には、前記表示装置に前記第１の番組表を表示させる
ことを特徴とする請求項１に記載の番組表表示装置。
【請求項３】
前記番組表生成手段は、放送開始済みの前記放送番組に対応する前記第２の番組表から、対応する前記第１の番組情報が存在しない前記放送番組を消去することにより、前記第１の番組表を生成する
ことを特徴とする請求項２に記載の番組表表示装置。
【請求項４】
前記第１の番組情報は、見逃し視聴番組の配信元を示す、識別子又は２次元コードを含むことを特徴とする請求項１乃至３のいずれか１項に記載の番組表表示装置。
【請求項５】
前記第１の番組情報は、見逃し視聴番組の配信元へのリンクを含むことを特徴とする請求項１乃至３のいずれか１項に記載の番組表表示装置。
【請求項６】
表示装置、及び
見逃し視聴が可能な番組に関する第１の番組情報を放送波を介して受信する放送受信手段と、
前記第１の番組情報に基づいて、対応する放送済みの番組の放送日時に対応付けられた、見逃し視聴が可能な番組に関する第１の番組表を生成する番組表生成手段と、
前記表示装置に前記第１の番組表を表示させる表示手段と
を有する番組表表示装置
を備えることを特徴とする番組表表示システム。
【請求項７】
見逃し視聴が可能な番組に関する第１の番組情報を放送波を介して受信し、
前記第１の番組情報に基づいて、対応する放送済みの番組の放送日時に対応付けられた、見逃し視聴が可能な番組に関する第１の番組表を生成し、
外部の表示装置に前記第１の番組表を表示させる
ことを特徴とする番組表表示方法。
【請求項８】
外部の表示装置に接続された番組表表示装置であって、
見逃し視聴が可能な番組に関する第１の番組情報を放送波を介して受信する放送受信処理と、
前記第１の番組情報に基づいて、対応する放送済みの番組の放送日時に対応付けられた、見逃し視聴が可能な番組に関する第１の番組表を生成する番組表生成処理と、
前記表示装置に前記第１の番組表を表示させる表示処理と
をコンピュータに実行させることを特徴とする番組表表示プログラム。
【発明の詳細な説明】
【技術分野】
【０００１】
本発明は、放送時に見逃された番組が視聴可能か否かを示す番組表を表示する番組表表示装置、番組表表示システム、番組表表示方法、及び番組表表示プログラムに関する。
【背景技術】
【０００２】
近年、放送済みのテレビ番組を、インターネット等の通信手段を介してタブレット端末やパーソナルコンピュータ（ＰＣ：Personal Computer）等の端末で視聴させる動画配信サービスが、テレビ放送局等により提供されることがある。特に、テレビ番組の放送を見逃した人に同じ番組を視聴させる動画配信サービスは、「見逃し視聴」サービスと呼ばれる。
【０００３】
見逃し視聴サービスでは、どの番組が見逃し視聴可能であるかに関する情報は、各テレビ放送局のサーバから提供されることが多い。従って、ユーザは、見逃し視聴可能な番組を知るために、各テレビ放送局のサーバにアクセスする手間がかかるという問題がある。
【０００４】
そのため、どの番組が見逃し視聴可能であるかを容易に確認可能な見逃し視聴サービスの提供が求められている。
【０００５】
見逃し視聴を容易にする技術の一例が、特許文献１に開示されている。
【０００６】
特許文献１のコンテンツ配信システムは、テレビ放送局と、コンテンツ配信装置と、コンテンツ受信装置とを含む。
【０００７】
テレビ放送局は、デジタル動画コンテンツのデータを放送電波を用いて放送する。
【０００８】
コンテンツ配信装置は、保管部と、通信部と、制御部とを有する。保管部は、放送電波を用いて放送されるデジタル動画コンテンツとの対応関係を示す対応情報を付与して、同じデジタル動画コンテンツのデータを保管する。制御部は、コンテンツ配信装置の通信部を介して対応情報が指定されたとき、コンテンツ配信装置の通信部を介して保管部が保管するデジタル動画コンテンツをコンテンツ受信装置へ配信する。
【０００９】
コンテンツ受信装置は、表示部と、指定部と、通信部とを有する。表示部は、デジタル動画コンテンツを表示する。指定部は、表示部に現に表示されているデジタル動画コンテンツからのリンクによりデジタル動画コンテンツの別の部分を指定する。コンテンツ受信装置の通信部は、指定部により指定されたデジタル動画コンテンツの別の部分を通信サーバから受信する。
【００１０】
上記の動作の結果、特許文献１のコンテンツ配信システムでは、ユーザは、デジタル動画コンテンツを偶然途中から見て関心を持ったとき等に、デジタル動画コンテンツからのリンクによりデジタル動画コンテンツの別の部分を指定し、見逃した箇所等を視聴する。
【００１１】
見逃し視聴を容易にする技術の別の一例が、特許文献２に開示されている。
【００１２】
特許文献２の番組表送受信システムは、放送局と、番組受信装置とを含む。
【００１３】
放送局は、「見逃し有」マークが付与された電子番組表が受信可能エリアの全戸に共通に配信する。
【００１４】
番組受信装置は、電子番組表を受信した際に視聴履歴及び嗜好履歴等に基づいて、受信した電子番組表から「見逃し有」マークの変更及び不要な「見逃し有」マークの消去の処理を行い、処理後の電子番組表をユーザに提示する。
【００１５】
上記の動作の結果、特許文献２の番組表送受信システムでは、ユーザは、特に意識的に検索を行うことなく、テレビ放送や電子番組表を見る通常の行為を通して、見逃した番組の存在を知る。
【先行技術文献】
【特許文献】
【００１６】
【特許文献１】特開２０１４−１８００２３
【特許文献２】特開２０１１−１９３４４７
【発明の概要】
【発明が解決しようとする課題】
【００１７】
特許文献１の技術では、見逃し視聴のための情報は、放送中の番組に付加されて表示される。一方、特許文献２の技術では、見逃し視聴のための情報は、放送中又は放送予定の番組に関する番組表に付加されて表示される。つまり、特許文献１又は特許文献２の技術では、見逃し視聴のための情報は、放送済みの番組に対応付けられて表示されないという問題がある。例えば、一連の番組の最終回の放送終了後には、ユーザが番組の見逃しに気付くことは困難である。あるいは、例えば、特定曜日の特定時間帯に放送される特定番組の放送終了後には、ユーザがその回の特定番組の見逃しに気付くためには、ユーザは次の特定番組又は次の特定番組を含む番組表を見る必要がある。従って、特許文献１又は特許文献２の技術には、特定の番組の放送終了後に、ユーザが特定の番組を見逃したことを発見し難いという問題がある。
（発明の目的）
本発明の主たる目的は、特定の番組の放送終了後に、ユーザが特定の番組を見逃したことを発見し易い番組表表示装置、番組表表示システム、番組表表示方法、及び番組表表示プログラムを提供ことにある。
【課題を解決するための手段】
【００１８】
本発明の番組表表示装置は、見逃し視聴が可能な番組に関する第１の番組情報を放送波を介して受信する放送受信手段と、第１の番組情報に基づいて、対応する放送済みの番組の放送日時に対応付けられた、見逃し視聴が可能な番組に関する第１の番組表を生成する番組表生成手段と、外部の表示装置に第１の番組表を表示させる表示手段とを備えることを特徴とする。
【００１９】
本発明の番組表表示システムは、表示装置、及び見逃し視聴が可能な番組に関する第１の番組情報を放送波を介して受信する放送受信手段と、第１の番組情報に基づいて、対応する放送済みの番組の放送日時に対応付けられた、見逃し視聴が可能な番組に関する第１の番組表を生成する番組表生成手段と、表示装置に第１の番組表を表示させる表示手段とを有する番組表表示装置とを備えることを特徴とする。
【００２０】
本発明の番組表表示方法は、見逃し視聴が可能な番組に関する第１の番組情報を放送波を介して受信し、第１の番組情報に基づいて、対応する放送済みの番組の放送日時に対応付けられた、見逃し視聴が可能な番組に関する第１の番組表を生成し、外部の表示装置に第１の番組表を表示させることを特徴とする。
【００２１】
本発明の番組表表示プログラムは、外部の表示装置に接続された番組表表示装置であって、見逃し視聴が可能な番組に関する第１の番組情報を放送波を介して受信する放送受信処理と、第１の番組情報に基づいて、対応する放送済みの番組の放送日時に対応付けられた、見逃し視聴が可能な番組に関する第１の番組表を生成する番組表生成処理と、表示装置に第１の番組表を表示させる表示処理とをコンピュータに実行させることを特徴とする。
【発明の効果】
【００２２】
本発明によれば、特定の番組の放送終了後に、ユーザが特定の番組を見逃したことを発見し易いという効果がある。
【図面の簡単な説明】
【００２３】
【図１】本発明の第１の実施形態における番組表表示装置１００の構成の一例を示すブロック図である。
【図２】本発明の第１の実施形態における番組表表示装置１００の動作を示すフローチャートである。
【図３】本発明の第１の実施形態における番組表表示装置１００の動作条件の具体例を説明するための図である。
【図４】本発明の第１の実施形態における番組表表示装置１００の動作の具体例を説明するための図である。
【図５】本発明の第２の実施形態におけるテレビ受像機１１０の構成の一例を示すブロック図である。
【図６】本発明の第２の実施形態におけるテレビ受像機１１０の動作条件の具体例を説明するための図である。
【図７】本発明の第２の実施形態におけるテレビ受像機１１０の動作の具体例を説明するための図である。
【図８】本発明の第２の実施形態におけるテレビ受像機１１０の動作の具体例を説明するための図である。
【図９】本発明の第３の実施形態におけるテレビ受像機１２０の構成の一例を示すブロック図である。
【図１０】本発明の第４の実施形態におけるテレビ受像機１３０の構成の一例を示すブロック図である。
【発明を実施するための形態】
【００２４】
以下、本発明の実施形態について、図面を参照して詳細に説明する。なお、すべての図面において、同等の構成要素には同じ符号を付し、適宜説明を省略する。
（第１の実施形態）
本実施形態における構成について説明する。
【００２５】
図１は、本発明の第１の実施形態における番組表表示装置１００の構成の一例を示すブロック図である。
【００２６】
番組表表示装置１００は、放送局２００と、表示装置３００とに接続される。番組表表示装置１００は、放送局２００から受信した「見逃し視聴番組」に関する番組情報（以下、「見逃し視聴番組情報」という。）に基づいて、「見逃し視聴番組」に関する番組表（以下、「見逃し視聴番組表」という。）を生成し、表示装置３００に表示させる。
【００２７】
「見逃し視聴番組」とは、「放送番組」の放送開始後に通信回線を介して受信可能な、「放送番組」と同じ内容のコンテンツである。「放送番組」とは、予め定められた日時に放送により配信されるコンテンツである。放送番組は、例えば、テレビ番組やラジオ番組である。
【００２８】
番組表表示装置１００は、見逃し視聴番組、放送番組に関する番組情報（以下、「放送番組情報」という。）、放送番組等を受信してもよい。本実施形態では番組表表示装置１００は、例えば、セットトップボックスである。または、番組表表示装置１００は、ＰＣ（Ｐｅｒｓｏｎａｌ  Ｃｏｍｐｕｔｅｒ）、テレビ受像機もしくはラジオ受信機に搭載される。番組表表示装置１００は、番組情報受信手段１０２と、番組表生成手段１０１とを含む。
【００２９】
番組情報受信手段１０２は、放送局２００から見逃し視聴番組情報を受信する。
【００３０】
番組表生成手段１０１は、番組情報受信手段１０２により受信された番組情報に基づいて、見逃し視聴番組表を生成し、表示装置３００に表示させる。
【００３１】
放送局２００は、見逃し視聴番組情報を送信する。放送局２００は、見逃し視聴番組、放送番組情報、放送番組等を送信してもよい。放送局２００は、例えば、テレビ放送局やラジオ放送局である。
【００３２】
表示装置３００は、番組表表示装置１００により生成された、見逃し視聴番組表を表示する。表示装置３００は、見逃し視聴番組、放送番組情報、放送番組等を表示してもよい。表示装置３００は、例えば、ディスプレイ装置やオーディオ再生装置である。なお、表示装置３００は、番組表表示装置１００に含まれてもよい。
【００３３】
なお、見逃し視聴番組情報は、見逃し視聴番組に対応する放送番組を特定可能な任意の情報である。見逃し視聴番組情報は、例えば、放送番組の、放送チャンネル、放送開始日時、放送終了日時の組である。このとき、見逃し視聴番組情報は、放送番組の番組名及び番組内容、並びに見逃し視聴番組の配信期間及び配信元のＵＲＬ情報等を更に含んでもよい。あるいは、放送番組の、放送チャンネル、放送開始日時、放送終了日時、放送番組の識別子を含む放送番組情報が利用可能である場合には、見逃し視聴番組情報は、例えば、放送番組の識別子であってもよい。
【００３４】
次に、本実施形態における動作について説明する。
【００３５】
図２は、本発明の第１の実施形態における番組表表示装置１００の動作を示すフローチャートである。なお、図２に示すフローチャート及び以下の説明は一例であり、適宜求める処理に応じて、処理順等を入れ替えたり、処理を戻したり、又は処理を繰り返したりしてもよい。
【００３６】
番組表表示装置１００の番組情報受信手段１０２は、放送局２００から見逃し視聴番組情報を受信する（ステップＳ１０１）。
【００３７】
番組表表示装置１００の番組表生成手段１０１は、番組情報受信手段１０２により受信された番組情報に含まれる各見逃し視聴番組について、見逃し視聴番組に対応する放送済み番組の放送日時に対応付けて、見逃し視聴番組表を生成する（ステップＳ１０２）。
【００３８】
番組表表示装置１００の番組表生成手段１０１は、生成した見逃し視聴番組表を、表示装置３００に表示させる（ステップＳ１０３）。
【００３９】
次に、本発明の第１の実施形態の処理の具体例について説明する。
【００４０】
図３は、本発明の第１の実施形態における番組表表示装置１００の動作条件の具体例を説明するための図である。具体的には、図３は、特定の日時における、放送番組の番組情報を示す表（以下、「放送番組表」という。）の一例を示す。放送番組表は、放送番組表が表示される日時“１０月１日／２１：００”の情報を含む。放送番組表は、放送番組表が表示される日時以降に放送される放送番組の情報を含む。放送番組表は、放送チャンネル“チャンネル１”において、日にち“１０月１日”の時刻“２１：００”から時刻“２２：００”に放送番組“ニュースＡ”が放送されることを示す。放送番組表は、放送チャンネル“チャンネル１”において、日にち“１０月１日”の時刻“２２：００”から時刻“２３：００”に放送番組“連続ドラマＢ”が放送されることを示す。放送番組表は、放送チャンネル“チャンネル１”において、日にち“１０月１日”の時刻“２３：００”から時刻“２４：００”に放送番組“情報番組Ｃ”が放送されることを示す。
【００４１】
図４は、本発明の第１の実施形態における番組表表示装置１００の動作の具体例を説明するための図である。
【００４２】
図４（ａ）は、見逃し視聴番組情報の一例である。図４（ａ）に示す見逃し視聴番組情報は、図３に示す放送番組表に対応する。見逃し視聴番組情報は、放送チャンネル“チャンネル１”において、日にち“１０月１日”の時刻“２２：００”から時刻“２３：００”に放送された放送番組“連続ドラマＢ”の見逃し視聴番組が存在することを示す。
【００４３】
図４（ｂ）は、見逃し視聴番組表の一例である。図４（ｂ）に示す見逃し視聴番組表は、図３に示す放送番組表に対応する。見逃し視聴番組表は、現在の日時が日時“１０月１日／１：００”であることを示す。見逃し視聴番組表は、放送チャンネル“チャンネル１”において、日にち“１０月１日”の時刻“２２：００”から時刻“２３：００”に放送された放送番組“連続ドラマＢ”の見逃し視聴番組が存在することを示す。一方、見逃し視聴番組表は、放送チャンネル“チャンネル１”において、日にち“１０月１日”の時刻“２１：００”から時刻“２２：００”及び時刻“２３：００”から時刻“２４：００”に放送された放送番組の見逃し視聴番組が存在しないことを示す。
【００４４】
番組情報受信手段１０２は、放送局２００から図４（ａ）に示す見逃し視聴番組情報を受信する（ステップＳ１０１）。
【００４５】
番組表生成手段１０１は、図４（ａ）に示す番組情報に含まれる見逃し視聴番組である、チャンネル“チャンネル１”の“連続ドラマＢ”について、見逃し視聴番組表の内容を生成する。具体的には、番組表生成手段１０１は、見逃し視聴番組に対応する放送済み番組の放送日時である日にち“１０月１日”の時刻“２２：００”から時刻“２３：００”に対応付けて、見逃し視聴番組表の内容（図４（ｂ）の４行目）を生成する（ステップＳ１０２）。一方、番組情報受信手段１０２は、他の見逃し視聴番組に関する見逃し視聴番組情報を受信していない。そのため、番組表生成手段１０１は、放送番組の放送日時“１０月１日”の時刻“２１：００”から時刻“２２：００”及び時刻“２３：００”から時刻“２４：００”に対応付けられた、見逃し視聴番組表の内容（図４（ｂ）の３行目及び５行目）を生成しない。
【００４６】
番組表生成手段１０１は、生成した見逃し視聴番組表（図４（ｂ））を、表示装置３００に表示させる（ステップＳ１０３）。
【００４７】
以上説明したように、本実施形態の番組表表示装置１００は、放送開始済みの放送番組の放送日時に対応付けて、見直し視聴が可能な番組に関する番組表を表示する。従って、番組表表示装置１００では、特定の番組の放送終了後に、ユーザが特定の番組を見逃したことを発見し易いという効果がある。
（第２の実施形態）
次に、上述した第１の実施形態における番組表表示装置の機能を含み、データ放送を用いて見逃し視聴番組情報を受信する本発明の第２の実施形態におけるテレビ受像機について説明する。以下の説明において、第１の実施形態と同等の構成要素には同じ符号を付し、適宜説明を省略する。
【００４８】
本実施形態における構成について説明する。
【００４９】
図５は、本発明の第２の実施形態におけるテレビ受像機の構成の一例を示すブロック図である。理解し易いように、テレビ放送局側の見逃し視聴に関する構成と共に示してある。
【００５０】
テレビ受像機１１０は、テレビ放送局２１０から放送電波を受信する。また、テレビ受像機１１０は、インターネット等の公衆回線網９００を経由してテレビ放送局２１０に接続される。
【００５１】
テレビ受像機１１０は、受信した見逃し視聴番組情報に基づいて、見逃し視聴番組表を生成し、画面に表示する。
【００５２】
見逃し視聴番組情報は、見逃し視聴番組に関する、対応する放送番組の番組名、対応する放送番組の番組内容、配信期間、配信元のＵＲＬ情報を含む。
【００５３】
テレビ受像機１１０は、放送受信手段１１１と、データ放送復号化手段１１２と、番組表制御手段１１３と、画面表示制御手段１１４と、操作入力受信手段１１５と、見逃し視聴番組受信手段１１６とを有する。
【００５４】
放送受信手段１１１は、テレビ放送局２１０からの放送波を受信し、テレビ番組の映像、音声、データ放送等を分離する。
【００５５】
データ放送復号化手段１１２は、放送受信手段１１１により分離されたデータ放送から見逃し視聴番組情報を復号化する。
【００５６】
番組表制御手段１１３は、復号化された見逃し視聴番組情報から、見逃し視聴番組表を生成する。
【００５７】
画面表示制御手段１１４は、生成された番組表を画面表示する。
【００５８】
操作入力受信手段１１５は、見逃し視聴する番組を画面表示された見逃し視聴番組表から選択する等のユーザの操作入力を受信し、見逃し視聴番組受信手段１１６にユーザにより選択された見逃し視聴する番組の配信元のＵＲＬ情報を伴う配信要求の通知を行う。
【００５９】
見逃し視聴番組受信手段１１６は、操作入力受信手段１１５から通知された配信元のＵＲＬにアクセスして見逃し視聴番組を受信する。
【００６０】
テレビ放送局２１０は、見逃し視聴番組情報を放送波に重畳して送信する。
【００６１】
テレビ放送局２１０は、見逃し視聴番組情報管理手段２１１と、データ放送符号化手段２１２と、放送送信手段２１３、見逃し視聴番組格納手段２１４と、見逃し視聴番組送信手段２１５とを有する。
【００６２】
見逃し視聴番組情報管理手段２１１は、見逃し視聴番組情報を管理する。
【００６３】
データ放送符号化手段２１２は、見逃し視聴番組情報管理手段２１１により管理される見逃し視聴番組情報を、データ放送を用いて送信するためのデータ放送符号化形式に符号化する。データ放送符号化形式は、ＡＲＩＢ（Association of Radio Industories and Businesses）  ＳＴＤ−Ｂ２４により規定される。番組名、番組内容、配信期間、配信元のＵＲＬ情報等の見逃し視聴番組情報は、テキストデータとして、データ放送の文字符号化方式にて符号化される。なお、放送送信手段２１３は、上記テキストデータを番組表として取り扱うことを指示したＢＭＬ（Broadcast Markup Language）情報を送信する。
【００６４】
放送送信手段２１３は、データ放送符号化手段２１２により符号化された見逃し視聴番組情報をデータ放送として、テレビ番組の映像、音声等を送信する放送波に重畳して送信する。
【００６５】
見逃し視聴番組格納手段２１４は、見逃し視聴番組を格納する。
【００６６】
見逃し視聴番組送信手段２１５は、見逃し視聴番組格納手段２１４により保持される番組をインターネット等の公衆回線網９００を経由してユーザに送信する。
【００６７】
次に、本発明の第２の実施形態における動作について説明する。
【００６８】
図６は、本発明の第２の実施形態におけるテレビ受像機１１０の動作条件の具体例を説明するための図である。図６は、日にち“１０月１日”の時刻“１７：００”から時刻“２４：００”における、放送チャンネル“１ｃｈ”、“４ｃｈ”、“６ｃｈ”の放送番組表４００である。
【００６９】
テレビ放送局２１０の見逃し視聴番組情報管理手段２１１は、放送番組表４００に従って番組の放送を行い、放送が終了した放送番組を見逃し視聴番組として、見逃し視聴番組格納手段２１４に格納する。見逃し視聴番組情報管理手段２１１は、例えば、放送チャンネル“１ｃｈ”の放送番組“連続ドラマＡＡ（第２話）”の放送が終了すると、その放送番組のコンテンツを見逃し視聴番組として見逃し視聴番組格納手段２１４に格納する。
【００７０】
見逃し視聴番組格納手段２１４は、見逃し視聴番組“連続ドラマＡＡ（第２話）”を、放送番組“連続ドラマＡＡ（第３話）”（図示しない）が始まるまでの１週間だけ保持する。つまり、見逃し視聴番組“連続ドラマＡＡ（第２話）”の保持期間は、放送番組“連続ドラマＡＡ（第２話）”の放送終了日時“１０／１  ２２：００”から、放送番組“連続ドラマＡＡ（第３話）”の放送開始日時“１０／８  ２１：００”までである。
【００７１】
見逃し視聴番組格納手段２１４は、保持する見逃し視聴番組“連続ドラマＡＡ（第２話）”に、見逃し視聴番組情報として、対応する放送番組の番組名及び番組内容、並びに見逃し視聴番組の配信期間及び配信元のＵＲＬ情報を付与する。
【００７２】
見逃し視聴番組情報管理手段２１１は、見逃し視聴番組格納手段２１４に格納される見逃し視聴番組から、見逃し視聴番組情報を抽出する。
【００７３】
データ放送符号化手段２１２は、見逃し視聴番組情報管理手段２１１により管理される見逃し視聴番組情報をデータ放送として送信するための形式に符号化して放送送信手段２１３に送信する。
【００７４】
放送送信手段２１３は、データ放送として送信するための形式に符号化された見逃し視聴番組情報をデータ放送として、テレビ番組の映像、音声等を送信する放送波に重畳して送信する。
【００７５】
放送チャンネル“ｃｈ４”、放送チャンネル“ｃｈ６”のテレビ放送局は、放送チャンネル“ｃｈ１”のテレビ放送局２１０と同様に、見逃し視聴番組情報をデータ放送として送信する。以下に説明する動作の具体例では、放送チャンネル“ｃｈ４”の見逃し視聴番組“連続ドラマＢＡ（第７話）”の見逃し視聴番組情報がデータ放送として送信されるものとする。また、放送チャンネル“ｃｈ６”の見逃し視聴番組“連続ドラマＣＡ（第８話）”及び見逃し視聴番組“連続ドラマＣＢ（第７話）”の見逃し視聴番組情報がデータ放送として送信されるものとする。
【００７６】
図７は、本発明の第２の実施形態におけるテレビ受像機１１０の動作の具体例を説明するための図である。図７は、日にち“１０月１日”の時刻“１７：００”から時刻“２４：００”に、放送チャンネル“１ｃｈ”、“４ｃｈ”、“６ｃｈ”において放送された放送番組に対応する見逃し視聴番組の見逃し視聴番組表５００である。
【００７７】
テレビ受像機１１０の放送受信手段１１１は、テレビ放送局２１０等のテレビ放送局から放送波を受信する。放送受信手段１１１は、受信した放送波からテレビ番組の映像、音声、データ放送等を分離する。
【００７８】
データ放送復号化手段１１２は、分離されたデータ放送から見逃し視聴番組情報を復号化する。
【００７９】
番組表制御手段１１３は、復号化された見逃し視聴番組情報から、見逃し視聴番組表を生成し、画面表示制御手段１１４に送信する。なお、番組表制御手段１１３は、放送開始済みの番組に対応する放送番組表から、見逃し視聴番組情報が存在しない番組を消去することにより、見逃し視聴番組表を生成してもよい。
【００８０】
操作入力受信手段１１５は、見逃し視聴番組表を表示させるためのユーザ操作を検出すると、画面表示制御手段１１４に見逃し視聴番組表の表示の指示を行う。
【００８１】
画面表示制御手段１１４は、見逃し視聴番組表をテレビ画面に表示する（図７の見逃し視聴番組表５００）。見逃し視聴番組表５００には、放送チャンネル“１ｃｈ”の見逃し視聴番組“連続ドラマＡＡ（第２話）”、及び放送チャンネル“ｃｈ４”の見逃し視聴番組“連続ドラマＢＡ（第７話）”が見逃し視聴番組として表示される。また、見逃し視聴番組表５００には、放送チャンネル“ｃｈ６”の見逃し視聴番組“連続ドラマＣＡ（第８話）”及び見逃し視聴番組“連続ドラマＣＢ（第７話）”が見逃し視聴番組として表示される。これらの見逃し視聴番組は、対応する放送番組の放送日時である日にち“１０月１日”の時刻“１７：００”から時刻“２４：００”に対応付けられて表示される。
【００８２】
なお、画面表示制御手段１１４は、ユーザにより、現在時刻より前の日時を指定して番組表の表示を要求された場合には見逃し視聴番組表、現在時刻以降の日時を指定して番組表の表示を要求された場合には放送番組表を表示するように制御を行ってもよい。
【００８３】
操作入力受信手段１１５は、見逃し視聴番組表５００から見逃し視聴対象の番組として“見逃し視聴番組”連続ドラマＡＡ（第２話）“を選択するユーザ操作を検出すると、画面表示制御手段１１４に見逃し視聴番組を選択するユーザ操作の検出を通知する。
【００８４】
図８は、本発明の第２の実施形態におけるテレビ受像機１１０の動作の具体例を説明するための図である。図８は、見逃し視聴番組“連続ドラマＡＡ（第２話）”の見逃し視聴をユーザに確認するための見逃し視聴番組説明画面６００である。
【００８５】
画面表示制御手段１１４は、見逃し視聴番組を選択するユーザ操作の検出が通知されると、図８の見逃し視聴番組説明画面６００をテレビ画面に表示する。
【００８６】
操作入力受信手段１１５は、見逃し視聴番組説明画面６００の「はい」ボタンを選択するユーザ操作を検出すると、見逃し視聴番組“連続ドラマＡＡ（第２話）”の配信元のＵＲＬ情報に対応するコンテンツの受信を見逃し視聴番組受信手段１１６に要求する。
【００８７】
見逃し視聴番組受信手段１１６は、操作入力受信手段１１５から要求された見逃し視聴番組“連続ドラマＡＡ（第２話）”の配信元のＵＲＬ情報“ｈｔｔｐ：//テレビ放送局２１０．ｊｐ/見逃し視聴/連続ドラマＡＡ（第２話）”にアクセスする。
【００８８】
テレビ放送局２１０の見逃し視聴番組送信手段２１５は、見逃し視聴番組格納手段２１４に格納される見逃し視聴番組“連続ドラマＡＡ（第２話）”のコンテンツをインターネット等の公衆回線網９００を経由して、テレビ受信機１１０に送信する。なお、見逃し視聴番組送信手段２１５は、例えば、ＲＴＳＰ（Real Time Streaming Protocol）、ＲＴＭＰ（Real Time Messaging Protocol）、ＨＬＳ（HTTP Live Streaming）等のストリーミング方式を用いて、見逃し視聴番組のコンテンツを送信する。
【００８９】
テレビ受信機１１０の見逃し視聴番組受信手段１１６は、受信した見逃し視聴番組“連続ドラマＡＡ（第２話）”のコンテンツの再生を画面表示制御手段１１４に要求する。
【００９０】
画面表示制御手段１１４は、再生を要求された見逃し視聴番組“連続ドラマＡＡ（第２話）”のコンテンツを再生して、テレビ画面に表示する。
【００９１】
なお、ユーザは、見逃し視聴番組を、テレビで見逃し視聴せずに、ＰＣ３００や携帯端末４００で見逃し視聴することができる。例えば、ユーザは、見逃し視聴番組説明画面６００中のＵＲＬ情報や対応する２次元コード等を用いて、見逃し視聴番組“連続ドラマＡＡ（第２話）”の配信元のＵＲＬ情報をＰＣ３００や携帯端末４００に入力する。これにより、ユーザは、ＰＣ３００や携帯端末４００において、見逃し視聴番組“連続ドラマＡＡ（第２話）”の配信元にアクセスして、見逃し視聴ができる。
【００９２】
以上説明したように、本実施形態のテレビ受像機１１０は、放送開始済みの放送番組の放送日時に対応付けて、見直し視聴が可能な番組に関する番組表を表示する。従って、本実施形態のテレビ受像機１１０では、特定の番組の放送終了後に、ユーザが特定の番組を見逃したことを発見し易いという効果がある。
【００９３】
更に、本実施形態のテレビ受像機１１０では、ＰＣ３００や携帯端末４００が見逃し視聴番組の配信元のＵＲＬにアクセスする。従って、本実施形態のテレビ受像機１１０では、他の装置から見逃し視聴番組を利用できるという効果がある。
（第３の実施形態）
次に、上述した第２の実施形態において、見逃し視聴番組情報をデータ放送の代わりに、「番組配列情報」を用いて放送波に見逃し視聴番組情報が重畳される本発明の第３の実施形態について説明する。なお、以下の説明において、第２の実施形態との差分についてのみ説明し、第２の実施形態と同等の構成要素には同じ符号を付し、適宜説明を省略する。「番組配列情報」とは、デジタル放送で扱われているＳＩ（Service Information）情報等の、電子番組表（ＥＰＧ：Electronic Program Guide）において使用される情報である。番組配列情報の符号化形式は、ＡＲＩＢ  ＳＴＤ−Ｂ１０により規定される。番組名、番組内容、配信期間、配信元のＵＲＬ情報等の見逃し視聴番組情報は、ＳＩ情報中のＥＩＴ（Event Information Table）として符号化される。
【００９４】
本実施形態における構成について説明する。
【００９５】
図９は、本発明の第３の実施形態におけるテレビ受像機１２０の構成の一例を示すブロック図である。
【００９６】
本実施形態の番組配列情報符号化手段２２２は、第２の実施形態のデータ放送符号化手段２１２と機能が異なる。番組配列情報符号化手段２２２は、見逃し視聴番組情報管理手段２１１により管理される見逃し視聴番組情報を番組配列情報に多重して、番組配列情報として送信するための形式に符号化する。
【００９７】
本実施形態の放送送信手段２２３は、第２の実施形態の放送送信手段２１３と機能が異なる。放送送信手段２２３は、番組配列情報符号化手段２２２により符号化された見逃し視聴番組情報を含む番組配列情報を、テレビ番組の映像、音声等を送信する放送波に重畳して送信する。  本実施形態の放送受信手段１２１は、第２の実施形態の放送受信手段１１１と機能が異なる。放送受信手段１２１は、テレビ放送局２２０からの放送波を受信し、テレビ番組の映像、音声、番組配列情報等を分離する。
【００９８】
本実施形態の番組配列情報復号化手段１２２は、第２の実施形態のデータ放送復号化手段１１２と機能が異なる。番組配列情報復号化手段１２２は、放送受信手段１２１により分離された番組配列情報から見逃し視聴番組情報を復号化する。
【００９９】
本実施形態における上記以外の構成は、第２の実施形態における構成と同じである。
【０１００】
次に、本実施形態における動作について説明する。
【０１０１】
番組配列情報符号化手段２２２は、見逃し視聴番組情報管理手段２１１により管理される見逃し視聴番組情報を番組配列情報に多重して、番組配列情報として送信するための形式に符号化して放送送信手段２１３に送信する。
【０１０２】
放送送信手段２２３は、見逃し視聴番組情報を含む番組配列情報として、テレビ番組の映像、音声等を送信する放送波に重畳して送信する。
【０１０３】
番組配列情報復号化手段１２２は、放送受信手段１２１により分離された番組配列情報から見逃し視聴番組情報を復号化する。
【０１０４】
本実施形態における上記以外の動作は第２の実施形態における動作と同じである。
【０１０５】
以上説明したように、本実施形態の番組表表示装置であるテレビ受像機１２０は、見逃し視聴番組情報が番組配列情報に従って符号化される場合に、放送開始済みの放送番組の放送日時に対応付けて、見直し視聴が可能な番組に関する番組表を表示する。従って、番組表表示装置１２０では、見逃し視聴番組情報が番組配列情報に従って符号化される場合に、特定の番組の放送終了後に、ユーザが特定の番組を見逃したことを発見し易いという効果がある。
（第４の実施形態）
次に、上述した第２の実施形態において、データ放送の代わりに、「ＩＰＤＣ」（Internet Protocol Data Cast）を用いて放送波に見逃し視聴番組情報が重畳される本発明の第４の実施形態について説明する。なお、以下の説明において、第２の実施形態との差分についてのみ説明し、第２の実施形態と同等の構成要素には同じ符号を付し、適宜説明を省略する。「ＩＰＤＣ」とは、放送波にＩＰパケットを乗せて一斉同報的なデータ配信を行う通信方式である。ＩＰＤＣの符号化形式は、ＡＲＩＢ  ＴＲ−Ｂ３３及びＩＰＤＣフォーラムの「ホワイトスペースにおけるＩＰＤＣ技術仕様指針書」により規定される。番組名、番組内容、配信期間、配信元のＵＲＬ情報等の見逃し視聴番組情報は、見逃し視聴番組情報である旨が付加されたテキストデータファイルとして符号化される。
【０１０６】
本実施形態における構成について説明する。
【０１０７】
図１０は、本発明の第４の実施形態におけるテレビ受像機１３０の構成の一例を示すブロック図である。理解し易いように、テレビ放送局側の見逃し視聴に関する構成と共に示してある。
【０１０８】
本実施形態のＩＰＤＣ符号化手段２３２は、第２の実施形態のデータ放送符号化手段２１２と機能が異なる。ＩＰＤＣ符号化手段２３２は、見逃し視聴番組情報管理手段２１１により管理される見逃し視聴番組情報をＩＰＤＣを用いて送信するための形式に符号化する。
【０１０９】
本実施形態の放送送信手段２３３は、第２の実施形態の放送送信手段２１３と機能が異なる。放送送信手段２３３は、ＩＰＤＣ符号化手段２３２により符号化された見逃し視聴番組情報をＩＰＤＣ放送として、テレビ番組の映像、音声等を送信する放送波に重畳して送信する。  本実施形態の放送受信手段１３１は、第２の実施形態の放送受信手段１１１と機能が異なる。放送受信手段１３１は、テレビ放送局２３０からの放送波を受信し、テレビ番組の映像、音声、ＩＰＤＣ等を分離する。
【０１１０】
本実施形態のＩＰＤＣ復号化手段１３２は、第２の実施形態のデータ放送復号化手段１１２と機能が異なる。ＩＰＤＣ復号化手段１３２は、放送受信手段１３１により分離されたＩＰＤＣから見逃し視聴番組情報を復号化する。
【０１１１】
本実施形態における上記以外の構成は、第２の実施形態における構成と同じである。
【０１１２】
次に、本実施形態における動作について説明する。
【０１１３】
ＩＰＤＣ符号化手段２３２は、見逃し視聴番組情報管理手段２１１により管理される見逃し視聴番組情報をＩＰＤＣとして送信するための形式に符号化して放送送信手段２３３に送信する。
【０１１４】
放送送信手段２３３は、見逃し視聴番組情報をＩＰＤＣとして、テレビ番組の映像、音声等を送信する放送波に重畳して送信する。
【０１１５】
ＩＰＤＣ復号化手段１３２は、放送受信手段１３１により分離されたＩＰＤＣから見逃し視聴番組情報を復号化する。
【０１１６】
本実施形態における上記以外の動作は第２の実施形態における動作と同じである。
【０１１７】
以上説明したように、本実施形態の番組表表示装置であるテレビ受像機１３０は、見逃し視聴番組情報がＩＰＤＣに従って符号化される場合に、放送開始済みの放送番組の放送日時に対応付けて、見直し視聴が可能な番組に関する番組表を表示する。従って、番組表表示装置１３０では、見逃し視聴番組情報がＩＰＤＣに従って符号化される場合に、特定の番組の放送終了後に、ユーザが特定の番組を見逃したことを発見し易いという効果がある。
【０１１８】
なお、上述した各実施形態における番組表表示装置は、専用の装置によって実現してもよいが、コンピュータ（情報処理装置）によっても実現可能である。この場合、係るコンピュータは、メモリ（不図示）に格納されたソフトウェア・プログラムをＣＰＵ（Ｃｅｎｔｒａｌ＿Ｐｒｏｃｅｓｓｉｎｇ＿Ｕｎｉｔ、不図示）に読み出し、読み出したソフトウェア・プログラムをＣＰＵにおいて実行することにより、実行結果を、例えば、ユーザ・インタフェースに出力する。上述した各実施形態及び変形例の場合、係るソフトウェア・プログラムには、上述したところの、図１に示した番組表表示装置１００の各手段、図５に示したテレビ受像機１１０の各手段、図９に示したテレビ受像機１２０の各手段、図１０に示したテレビ受像機１３０の各手段の機能を実現可能な記述がなされていればよい。但し、番組表表示装置１００の番組情報受信手段１０２及び番組表生成手段１０１、並びにテレビ受像機１１０、１２０、１３０の放送受信手段１１１、１２１、１３１、番組配列情報復号化手段１１２、１２２、１３２、操作入力受信手段１１５、１２５、１３５及び見逃し視聴番組受信手段１１６、１２６、１３６は、適宜ハードウェアを含むことも想定される。そして、このような場合、係るソフトウェア・プログラム（コンピュータ・プログラム）は、本発明を構成すると捉えることができる。更に、係るソフトウェア・プログラムを格納した、コンピュータ読み取り可能な記憶媒体も、本発明を構成すると捉えることができる。
【０１１９】
以上、本発明を、上述した各実施形態およびその変形例によって例示的に説明した。しかしながら、本発明の技術的範囲は、上述した各実施形態およびその変形例に記載した範囲には限定されない。当業者には、係る実施形態に対して多様な変更又は改良を加えることが可能であることは明らかである。そのような場合、係る変更又は改良を加えた新たな実施形態も、本発明の技術的範囲に含まれ得る。そしてこのことは、特許請求の範囲に記載した事項から明らかである。
【産業上の利用可能性】
【０１２０】
本発明は、ＰＣ、セットトップボックス、テレビ受像機、ラジオ受信機において、見逃し視聴番組表を表示する用途において利用できる。
【符号の説明】
【０１２１】
１００  番組表表示装置
２００  放送局
３００  表示装置
１０１  番組表生成手段
１０２  番組情報受信手段
１１０  テレビ受像機
１１１  放送受信手段
１１２  データ放送復号化手段
１１３  番組表制御手段
１１４  画面表示制御手段
１１５  操作入力受信手段
１１６  見逃し視聴番組受信手段
２１０  テレビ放送局
２１１  見逃し視聴番組情報管理手段
２１２  データ放送符号化手段
２１３  放送送信手段
２１４  見逃し視聴番組格納手段
２１５  見逃し視聴番組送信手段
３００  ＰＣ
４００  携帯端末
９００  公衆回線網
１２０  テレビ受像機
１２１  放送受信手段
１２２  番組配列情報復号化手段
２２０  テレビ放送局
２２２  番組配列情報符号化手段
２２３  放送送信手段
１３０  テレビ受像機
１３１  放送受信手段
１３２  ＩＰＤＣ復号化手段
２３０  テレビ放送局
２３２  ＩＰＤＣ符号化手段
２３３  放送送信手段
【図１】
2016100837.tif 000003
【図２】
2016100837.tif 000004
【図３】
2016100837.tif 000005
【図４】
2016100837.tif 000006
【図５】
2016100837.tif 000007
【図６】
2016100837.tif 000008
【図７】
2016100837.tif 000009
【図８】
2016100837.tif 000010
【図９】
2016100837.tif 000011
【図１０】
2016100837.tif 000012